(57)【要約】【課題】簡単な構造でありながら、使用時には開いた状態で形状が確実に固定され、一方、使用しない時には嵩張ることなく小さくして収納できる、折り畳み可能な照明器具を提供する。【解決手段】１個のろくろ１１と、ろくろ１１の中心軸cに対して回転対称に放射状に設けられた多数の小骨１２と、各小骨１２にそれぞれ設けられた親骨１３とで構成する和傘構造の照明器具１０。全小骨１２の先端の周囲には、その周囲長が、小骨１２がろくろ中心軸cに対して垂直になった時の全小骨１２の先端の周囲長よりも小さい規制部材１４を張設する。そして、こうして小骨１２を全開した状態で小骨１２をろくろ１１に対して固定するワッシャ１５を設ける。【選択図】図１
2008053037.tif 000002
【特許請求の範囲】
【請求項１】
a) １個のろくろと、
b) 前記ろくろの中心軸に対して回転対称に設けられた多数の小骨であって、各小骨の一端はろくろに回動可能に固定され、他端はろくろ中心軸を含む面内で回動可能である小骨と、
c) 各小骨に対して１：１に設けられた多数の親骨であって、その一端又は中間位置において小骨の前記他端に枢着された親骨と、
d) 全小骨の先端の周囲に張設され、その周囲長が、小骨がろくろ中心軸に対して垂直になった時の全小骨の先端の周囲長よりも小さい規制部材と、
e) 全小骨がろくろ中心軸から最も開いた状態で小骨を固定するワッシャと、
を備えることを特徴とする和傘構造照明器具。
【請求項２】
前記規制部材が、全小骨の先端を結ぶ紐である請求項１に記載の和傘構造照明器具。
【請求項３】
前記規制部材が、全親骨の周囲に略円筒状に張設された透明又は半透明のシェード部材である請求項１に記載の和傘構造照明器具。
【請求項４】
光源が、前記ワッシャを挟んでろくろに固定される請求項１〜３のいずれかに記載の和傘構造照明器具。
【請求項５】
a) １個のろくろと、
b) 前記ろくろの中心軸に対して回転対称に設けられた多数の小骨であって、各小骨の一端はろくろに回動可能に固定され、他端はろくろ中心軸を含む面内で回動可能である小骨と、
c) 各小骨に対して１：１に設けられた多数の親骨であって、その一端又は中間位置において小骨の前記他端に枢着された親骨と、
を備え、
d) 前記ろくろに、前記小骨の回動を許す溝が設けられており、その溝に、小骨が所定角度以上回動しないようにするためのストッパが設けられている
ことを特徴とする和傘構造照明器具。
【発明の詳細な説明】
【技術分野】
【０００１】
本願発明は、特に室内を照明する照明器具、特にその傘（シェード）の構造に関する。
【背景技術】
【０００２】
これまで、室内の照明器具に関して、ペンダント型やフロアスタンド型の照明器具のシェードを折り畳み可能な構造とすることで収納や取り扱いを容易にしようとする考案は、すでに種々なされている。
【０００３】
例えば、特許文献１には、リング状をした上下ろくろのそれぞれに複数の支骨を放射状かつ開閉自在に取り付け、各支骨を主骨の適宜な位置に回転自在に枢着し、主骨の外側に布地を被着して成る折り畳み自在なランプシェードが開示されている。また、特許文献２には、外被に対する張設支杆の２以上の組み合わせを中央の支持体を中心にした集束および散開可能に構成したことを特徴とする折り畳み自在なシェードが開示されている。しかし、上記従来技術はいずれも、主骨を開閉するためのろくろ部が構造上２か所以上あることが必要である。
【０００４】
本願発明者は、長年和傘の製造に携わってきた経験に基づき、上記のような複雑な構造を取らなくとも、より簡単な骨組構造でもって折り畳み可能なランプシェードを形成することが可能であることに気付き、本願発明に想到した。
【０００５】
【特許文献１】実開昭59-28904号公報
【特許文献２】実開昭48-17986号公報
【発明の開示】
【発明が解決しようとする課題】
【０００６】
本願発明が解決しようとする課題は、簡単な構造でありながら、使用時には開いた状態で形状が確実に固定され、一方、使用しない時には小さくして嵩張ることなく収納できる、折り畳み可能な照明器具を提供することである。
【課題を解決するための手段】
【０００７】
上記課題を解決するために成された本願発明に係る和傘構造照明器具は、
a) １個のろくろと、
b) 前記ろくろの中心軸に対して回転対称に設けられた多数の小骨であって、各小骨の一端はろくろに回動可能に固定され、他端はろくろ中心軸を含む面内で回動可能である小骨と、
c) 各小骨に対して１：１に設けられた多数の親骨であって、その一端又は中間位置において小骨の前記他端に枢着された親骨と、
d) 全小骨の先端の周囲に張設され、その周囲長が、小骨がろくろ中心軸に対して垂直になった時の全小骨の先端の周囲長よりも小さい規制部材と、
e) 全小骨がろくろ中心軸から最も開いた状態で小骨を固定するワッシャと、
を備えることを特徴とする。
【発明の効果】
【０００８】
本件発明者は和傘の製造に長年携わってきたが、晴れた日に和傘をさしたときの傘を通して入り込む光の造形の美しさにかねてより着目していた。そのような伝統的な和傘の光を通す物としての特性・美しさと、上記のような新規構造による取り扱いの容易さとを兼ね備えたものとして本和傘構造照明器具を案出した。
【０００９】
本願発明に係る照明器具は、基本的に和傘の構造を用いている。ただし、和傘では親骨の一方の端は天ろくろと呼ばれる和傘の頂点のろくろに枢着されているのに対し、本願発明に係る照明器具では、その端は自由にされている。このため、本願発明に係る照明器具では、ろくろは１個しか用いない。
【００１０】
そして、本願発明に係る照明器具では、全小骨の先端の周囲に規制部材が張設されており、この張設部材の周囲長が上記条件を満たしている。この条件を分かりやすく言うと、小骨がろくろ中心軸に対して垂直にまで開くことができないように、すなわち、その開き角が90°以下となるように制限されているということである。この条件により、小骨を開いていっても90°を超えて反転することがないため、小骨を全開した状態で本願発明に係る照明器具の形状が固定される。上記ワッシャは、このような状態で小骨を固定するためのものである。
【００１１】
この規制部材としては、全小骨の先端を結ぶ紐であってもよいし、全親骨の周囲に略円筒状に張設された透明又は半透明のシェード部材であってもよい。また、両者を併用してもよい。
【００１２】
前者の規制部材を用いる場合でも、本願発明が照明器具であることを考慮すると、全親骨の周囲には何らかの透明又は半透明のシェード部材を張設することが望ましい。ただし、紐による規制部材が既に存在するため、その場合にはシェード部材の周囲長は必ずしも上記条件を満たす必要はなく、ゆったりとしたものを用いてもよい。前記の和傘との比較で言うならば、和傘では親骨に張設される張紙が完全な円錐状となっているのに対し、本願発明に係る照明器具では親骨が両端とも自由とされていることに伴い、シェード部材は円錐状に近い円錐台形状にしたり、円筒状に近い形状とする等、自由なデザイン（形状）を楽しむことができる。また、そのシェード部材にも、和傘の伝統に従ったものを用いることにより、その骨組構造と相まって、独特な趣をもって室内を照らすことができる照明器具を作製することができる。
【００１３】
近年、日本の伝統文化を見直そうという気運の高まりとともに、伝統的な日本家屋である町家や日本の伝統技術を用いた家具等に注目が集まっており、和傘を自らの住生活に取り入れようとする需要者は少なくない。本願発明に係る照明器具は、上記のように和傘風のシェード部材を用いることにより、このような動きに応え、伝統と技術が高度なレベルで融合した製品を提供することができる。また、町家等において洋風デザインが取り入れられ、美しくマッチしている場合があるのと同様、洋風家屋においても純和風デザインが適合することが多いことは良く知られている通りである。本願発明に係る和傘構造照明器具は、その親骨及び小骨の幾何学的構成により洋風環境にも美しくとけこむ。
【００１４】
そして、このように和傘の構造を用いることで、使用しない時には小骨をろくろの中心軸の周りに細くすぼめることにより、嵩張ることなく収納できる。これは、和傘構造を用いたことによる大きなメリットである。この特性により、本願発明に係る和傘構造照明器具（シェード）は、同一光源に対してシェード部材が異なるもの（例えば、和紙／布等の素材の違いや色違い等）を容易に取り換えることができる。一般家庭においては季節等に応じて適したものに取り換えることができ、また、パーティやイベント等では場面に応じて周囲の雰囲気に応じたものに取り換えるという使い方をすることもできる。
【００１５】
なお、本願発明に係る和傘構造照明器具は、ペンダント型にもフロアスタンド型にも適用することができる。
【実施例】
【００１６】
本願発明の一実施例である照明器具の正面図を図１に、底面図を図２に示す。図１の正面図において、左半分は外観を、右半分はその内部断面図を示す。ただし、右半分の内部断面図においては、理解の便のため、小骨１２及び親骨１３はそれぞれ１本のみ描いている。
【００１７】
本実施例の照明器具１０では、ろくろ１１の周囲に40本の小骨１２が放射状に取り付けられている。なお、この小骨１２の数は、デザイン等を考慮して、3本以上の適宜の本数を採用すべきことはもちろんである。各小骨１２の先端には親骨１３が枢着されている。本実施例では、親骨１３の下から約1/3の箇所に小骨１２が枢着されているが、この位置も任意である。なお、伝統的な和傘の風趣を出すため、小骨・親骨共素材は竹とし、ろくろは木製とすることが望ましいが、プラスチック製等でもよいことはもちろんである。
【００１８】
こうしてろくろ１１、小骨１２、親骨１３により基本構造を形成した後、全小骨１２を、ろくろ１１の中心軸ｃに対して80°程度となるように開き、親骨１３を垂直に立てて全体を円筒状として、その周囲にシェード部材１４を張設する。シェード部材１４には、やはり上記素材との調和のためには和紙を用いることが望ましいが、それ以外の様々な透明又は半透明素材を用いても構わない。
【００１９】
本実施例の照明器具では、シェード部材１４の周囲長を、上記のように小骨１２が約80°開いた状態での周囲長と等しくなるようにする。例えば、小骨１２の長さが170 mm、ろくろ１１の中心から小骨１２の取り付け点までの距離が15 mmとすると、シェード部材１４の周囲長Lは、
L = (15+170)×sin(80°)= 185×0.98 = 181 mm
とする。なお、実際には上記のように実物で小骨１２と親骨１３を開いた状態にし、それにシェード部材１４を緊張させて貼り付けるという方法で作製することができる。
【００２０】
シェード部材１４の周囲長をこのように設定することにより、図６に示すように、小骨１２を開いていってもこの角度以上には開くことができず、Rで示すような反転現象が起こらない。すなわち、照明装置１０はこの状態で固定され得る。
【００２１】
このいっぱいに開いた状態で照明器具を保持するために、すなわち、小骨１２の開き角θがそれ以上小さくならないようにするため、ワッシャ１５により小骨１２をろくろ１１の方に押さえつける。具体的には、図４にその位置関係を示すように、ネジ１６により、ワッシャ１５をろくろ１１に締め付ける。本実施例の照明装置１０では、ネジ１６は光源（電球）１７を保持するシェード１８に固定されているため、このシェード１８のネジ１６をワッシャ１５を介挿してろくろ１１にねじ込むことによりこれらを固定する。こうして組み立てた結果、図１、図２の使用状態となる。もちろん、ネジはシェードとは別体でも構わない。
【００２２】
本実施例の照明装置１０を使用しない場合は、光源のシェード１８とワッシャ１５を取り外し、図５に示すように、親骨１３と小骨１２をすぼめる。このとき、和傘のように、シェード部材１４に内部の方に折り込まれるような折り癖を付けておくことにより、折り畳んだ際にきれいな外観を呈することができるようになる。
【００２３】
上記実施例では、シェード部材１４自体が本願発明の規制部材として作用したが、図３に示すように、各小骨１２を連結する紐１９を設け、これにより小骨１２の開き角を規制するようにしてもよい。この場合には、シェード部材１４に関する周囲長の規制が不要であるため、シェード部材１４には余裕を持った長いものを用いたり、柔らかな素材を用いることが可能となる。また、周囲長を規制するのではなく、ろくろ１１により規制してもよい。すなわち、小骨１２がろくろ１１に対して開くためには、ろくろ１１に小骨１２が回動するための溝が必要であるが、この溝に開き角を規制するストッパを設け、小骨１２がそれ以上開かないようにしてもよい。
【図面の簡単な説明】
【００２４】
【図１】本願発明の一実施例である和傘構造照明器具の正面図（左半分は外観、右半分は省略断面）。
【図２】同照明器具の底面図。
【図３】本願発明の別の実施例である和傘構造照明器具の本体部分の正面図。
【図４】実施例の照明器具の組み立て図。
【図５】実施例の照明器具を折り畳んだ状態の正面図。
【図６】実施例の照明器具の小骨の動きを説明する断面図。
【符号の説明】
【００２５】
１０…和傘構造照明器具
１１…ろくろ
１２…小骨
１３…親骨
１４…シェード部材
１５…ワッシャ
１６…ネジ
１７…光源（電球）
１８…シェード
１９…連結紐
【図１】
2008053037.tif 000003
【図２】
2008053037.tif 000004
【図３】
2008053037.tif 000005
【図４】
2008053037.tif 000006
【図５】
2008053037.tif 000007
【図６】
2008053037.tif 000008